(57)【要約】      （修正有）【課題】外部ハウジングをソケット側に押したりソケットから遠ざかるように引くスライディングによってソケットの結合と分離が可能なコネクターを提供する。【解決手段】コネクターは、ソケットを含むトランシーバーに選択的に結合するコネクティング部１００と、コネクティング部がトランシーバーに結合される場合、ソケットに締結される締結部と、締結部を収容してソケットから締結部を選択的に締結解除する締結解除部３００と、両端が開口された柱状で内部にコネクティング部と締結部及び締結解除部が受容されて、一端に内側に折り曲げられた折曲部４３０が形成されて、折曲部が締結解除部を選択的に加圧する外部ハウジング４００とを含んでもよい。【選択図】図５
2017041435.tif 000002
【特許請求の範囲】
【請求項１】
ソケットを含むトランシーバーに選択的に結合するコネクティング部と、
前記コネクティング部が、前記トランシーバーに結合する場合、前記ソケットに締結される締結部と、
前記締結部を収容して前記ソケットから前記締結部を選択的に締結解除する締結解除部と、
両端が開口された柱状で内部に前記コネクティング部と締結部及び締結解除部が受容されて、一端に内側に折り曲げられた折曲部が形成されて、前記折曲部が、前記締結解除部を選択的に加圧する外部ハウジングとを含むことを特徴とするコネクター。
【請求項２】
前記ソケットと前記外部ハウジングのうちいずれか一つは、互いに向かい合う方向に回転防止突部が突出して、他の一つは、前記回転防止突部が挿入される回転防止溝が形成されて前記ソケットと前記外部ハウジングが締結された状態で回転が防止されることを特徴とする請求項１に記載のコネクター。
【請求項３】
前記締結部は、
外面に突出して前記ソケット側で延びた締結片を含み、
前記締結片は、一端に内側に突出した締結突部が形成されて、
前記コネクティング部と前記ソケットが結合する場合、前記ソケットの外面に形成された締結溝に前記締結突部が挿入されることによって締結されることを特徴とする請求項１に記載のコネクター。
【請求項４】
前記締結解除部は、
前記締結片が貫く貫通孔と、
前記貫通孔の一端には前記締結突部を前記ソケットの締結溝から選択的に離脱させる離脱部材とを含むことを特徴とする請求項３に記載のコネクター。
【請求項５】
前記締結突部は、前記締結片の他端方向にテーパ状に形成された第１傾斜面を含み、
前記離脱部材は、外側面が前記第１傾斜面と対応してテーパ状に形成された第２傾斜面を含み、
前記第１傾斜面と前記第２傾斜面は、互いに当接してスライディング可能であることを特徴とする請求項４に記載のコネクター。
【請求項６】
前記締結部は、
前記締結片が、複数が離隔して備えられて、
前記複数の締結片の間の外面には突出した第１突部を含み、
前記締結解除部は、前記コネクティング部が前記ソケットに結合するために移動する場合、前記第１突部に係止されて前記締結部を連動させるように突出した第２突部を含むことを特徴とする請求項４に記載のコネクター。
【請求項７】
前記締結解除部は、前記ソケットから遠ざかる方向に延びた羽根片が形成されて、
前記羽根片は、終端で外側に突出した第３突部を含み、
前記外部ハウジングは、内側面に前記コネクティング部が前記ソケットに結合するために移動する場合、前記第３突部に係止されることによって前記締結解除部を連動させるように形成された内側溝を含むことを特徴とする請求項１に記載のコネクター。
【請求項８】
前記コネクティング部が、前記トランシーバーに結合される場合、前記トランシーバーに締結されるラッチと、
前記コネクティング部の外側に位置して、前記外部ハウジングの移動により前記ラッチを加圧して前記ラッチと前記トランシーバーの結合を解除させるラッチ解除部とをさらに含むことを特徴とする請求項１に記載のコネクター。
【請求項９】
前記締結部の一側に位置して、前記ラッチ解除部を収容して、前記コネクティング部が前記ソケットに結合するために移動する場合、外面が前記ソケットの内周面と向かい合って前記コネクティング部を案内するガイド部をさらに含むことを特徴とする請求項８に記載のコネクター。
【請求項１０】
前記ガイド部と連動されるように配置されて、前記ラッチ解除部の一部を収容して、前記コネクティング部と電気的に連結されるか光信号が伝達されるように連結されるケーブルを収容する内部ハウジングをさらに含み、
前記内部ハウジングの外面には、前記締結解除部が前記内部ハウジングの外面に沿って前記ソケットから遠ざかる方向にスライディングする時、前記締結解除部の終端と離隔して前記締結解除部のスライディングを防止するストッパーをさらに含むことを特徴とする請求項９に記載のコネクター。
【請求項１１】
前記ガイド部の一端は、前記コネクティング部が前記トランシーバーと結合した場合、コネクティング部の一端と前記ソケットとの間に位置することを特徴とする請求項９に記載のコネクター。
【請求項１２】
前記ガイド部と前記締結部との間に第１シーリング部材が配置されることを特徴とする請求項１０に記載のコネクター。
【請求項１３】
前記ソケットは、前記トランシーバーと向かい合う面にシーリング溝が形成されて、
前記シーリング溝に第２シーリング部材が配置されることを特徴とする請求項１に記載のコネクター。
【発明の詳細な説明】
【技術分野】
【０００１】
本発明は、コネクターに関し、より詳細にはプッシュプル形態（Ｐｕｓｈ−Ｐｕｌｌ  Ｔｙｐｅ）で締結または分離が可能なコネクターに関する。
【背景技術】
【０００２】
一般に、コネクターは電源と機器、機器と機器、または機器内部単位の間を電気的または光信号が伝達されるように連結するためのもので、通常ソケットと結合する。そして、コネクターがソケットと結合した後、コネクターがソケットから分離がされ難くするために、強固な結束のための技術が公知されている。
【０００３】
例えば、大韓民国登録特許第１０−１３９１０３９号（特許文献１）には、外部ハウジングの内面とソケットの外面に互いに対応するネジ山を形成して、コネクターアセンブリーがソケットに結合する技術が開示されている。
【０００４】
しかし、特許文献１は、結合が強固になる長所があるが、コネクターアセンブリーとソケットの結合または分離時外部ハウジングを回転させなければならないなどの別の操作が必要となる不便がある。
【先行技術文献】
【特許文献】
【０００５】
【特許文献１】ＫＲ１０−１３９１０３９ Ｂ１
【発明の概要】
【発明が解決しようとする課題】
【０００６】
本発明は、前記のような従来の問題点を解決するためのもので、本発明の目的は、外部ハウジングをソケット側に押したりソケットから遠ざかるように引くスライディングによってソケットの結合と分離が可能なコネクターを提供することである。
【０００７】
本発明の他の目的は、ソケットと結合した後、回転が防止されることによって破損を防止できるコネクターを提供することである。
【０００８】
本発明のさらに他の目的は、ソケットの外面に結合可能な締結部材を備えることによって、ソケットとの結合を強固にすることができるコネクターを提供することである。
【課題を解決するための手段】
【０００９】
前記のような本発明の目的を達成するために、本発明の一実施形態に係るコネクターは、ソケットを含むトランシーバーに選択的に結合するコネクティング部と、前記コネクティング部が前記トランシーバーに結合される場合、前記ソケットに締結される締結部と、前記締結部を収容して前記ソケットから前記締結部を選択的に締結解除する締結解除部と、両端が開口された柱状で内部に前記コネクティング部と締結部及び締結解除部が受容されて、一端に内側に折り曲げられた折曲部が形成されて、前記折曲部が前記締結解除部を選択的に加圧する外部ハウジングとを含んでもよい。
【００１０】
本発明の一実施形態に係るコネクターにおいて、前記ソケットと前記外部ハウジングのうちいずれか一つは、互いに向かい合う方向に回転防止突部が突出して、他の一つは、前記回転防止突部が挿入される回転防止溝が形成されて前記ソケットと前記外部ハウジングが締結された状態で回転が防止される。
【００１１】
本発明の一実施形態に係るコネクターにおいて、前記締結部は、外面に突出されて前記ソケット側に延びた締結片を含み、前記締結片は、一端に内側に突出された締結突部が形成されて、前記コネクティング部と前記ソケットが結合する場合、前記ソケットの外面に形成された締結溝に前記締結突部が挿入されることによって締結されることができる。
【００１２】
本発明の一実施形態に係るコネクターにおいて、前記締結解除部は、前記締結片が貫く貫通孔と、前記貫通孔の一端には前記締結突部を前記ソケットの締結溝から選択的に離脱させる離脱部材とを含んでもよい。
【００１３】
本発明の一実施形態に係るコネクターにおいて、前記締結突部は、前記締結片の他端方向にテーパ状に形成された第１傾斜面を含み、前記離脱部材は、外側面が前記第１傾斜面と対応してテーパ状に形成された第２傾斜面を含み、前記第１傾斜面と前記第２傾斜面は、互いに当接してスライディング可能になり得る。
【００１４】
本発明の一実施形態に係るコネクターにおいて、前記締結部は、前記締結片が複数が離隔して備えられて、前記複数の締結片の間の外面には突出した第１突部を含み、前記締結解除部は、前記コネクティング部が前記ソケットに結合するため移動する場合、前記第１突部に係止して前記締結部を連動させるように突出した第２突部を含んでもよい。
【００１５】
本発明の一実施形態に係るコネクターにおいて、前記締結解除部は、前記ソケットから遠ざかる方向に延びた羽根片が形成されて、前記羽根片は、終端で外側に突出した第３突部を含み、前記外部ハウジングは、内側面に前記コネクティング部が前記ソケットに結合するため移動する場合、前記第３突部に係止することによって前記締結解除部を連動させるように形成された内側溝を含んでもよい。
【００１６】
本発明の一実施形態に係るコネクターにおいて、前記コネクティング部が前記トランシーバーに結合する場合、前記トランシーバーに締結されるラッチと、前記コネクティング部の外側に位置して、前記外部ハウジングの移動により前記ラッチを加圧して前記ラッチと前記トランシーバーの結合を解除させるラッチ解除部とをさらに含んでもよい。
【００１７】
本発明の一実施形態に係るコネクターにおいて、前記締結部の一側に位置して、前記ラッチ解除部を収容して、前記コネクティング部が、前記ソケットに結合するため移動する場合、外面が前記ソケットの内周面と向かい合って前記コネクティング部を案内するガイド部をさらに含んでもよい。
【００１８】
本発明の一実施形態に係るコネクターにおいて、 前記ガイド部と連動されるように配置されて、前記ラッチ解除部の一部を収容して、前記コネクティング部と電気的に連結されるか光信号が伝達されるように連結されるケーブルを収容する内部ハウジングをさらに含み、
前記内部ハウジングの外面には、前記締結解除部が前記内部ハウジングの外面に沿って前記ソケットから遠ざかる方向にスライディングする時、前記締結解除部の終端と離隔して前記締結解除部のスライディングを防止するストッパーをさらに含んでもよい。
【００１９】
本発明の一実施形態に係るコネクターにおいて、前記ガイド部の一端は、前記コネクティング部が前記トランシーバーと結合した場合、コネクティング部の一端と前記ソケットとの間に位置してもよい。
【００２０】
本発明の一実施形態に係るコネクターにおいて、前記ガイド部と前記締結部との間に第１シーリング部材が配置されてもよい。
【００２１】
本発明の一実施形態に係るコネクターにおいて、前記ソケットは、前記トランシーバーと向かい合う面にシーリング溝が形成されて、前記シーリング溝に第２シーリング部材が配置されてもよい。
【発明の効果】
【００２２】
本発明は、締結部と締結解除部を備えることによって、コネクターを押し引くする簡単な操作だけでソケットと結合または分離が可能である。さらに、本発明は、回転防止部材を備えることによって、外部ハウジングの回転を防止して、それによってトランシーバーに結合されたコネクティング部の回転が防止されるので、コネクターの結合不良または器具破損を未然に防止することができる。
【図面の簡単な説明】
【００２３】
【図１】本発明の一実施形態に係るコネクターがソケットに結合された状態を示した斜視図である。
【図２】本発明の一実施形態に係るコネクターの平面図である。
【図３】本発明の一実施形態に係るコネクターの側面図である。
【図４】本発明の一実施形態に係るコネクターの分解斜視図である。
【図５】図１のＡ−Ａ´の断面図である。
【図６】図１のＢ−Ｂ´の断面図である。
【図７】図１のＣ−Ｃ´の断面図である。
【発明を実施するための形態】
【００２４】
以下、本発明の一部実施形態を例示的な図面を通じて詳細に説明する。各図面の構成要素に参照符号を付けるに当たり、同じ構成要素に対してはたとえ別の図面上に表示されてもできるだけ同じ符号を付けることに留意しなければならない。また、本発明の実施形態を説明するに当たり、関連した公知構成または機能に対する具体的な説明が、本発明の実施形態に対する理解を妨げると判断される場合にはその詳細な説明は省略する。
【００２５】
また、本発明の実施形態の構成要素を説明するに当たり、第１、第２、Ａ、Ｂ、（ａ）、（ｂ）等の用語を使用することができる。このような用語は、その構成要素を他の構成要素と区別するためのものだけであって、その用語によって該当構成要素の本質や順番または順序などが限定されない。ある構成要素が他の構成要素に「連結」、「結合」または「接続」されると記載された場合、その構成要素は前記他の構成要素に直接的に連結されたり接続されることができるが、各構成要素の間にさらに他の構成要素が「連結」、「結合」または「接続」されてもよいことを理解されなければならない。
【００２６】
以下、本発明の一実施形態に係るコネクターを図面を参照して説明する。
【００２７】
図１は、本発明の一実施形態に係るコネクター１がソケット１０に結合された状態を示した斜視図であり、図２は、本発明の一実施形態に係るコネクター１の平面図であり、図３は、本発明の一実施形態に係るコネクター１の側面図で、図４は、本発明の一実施形態に係るコネクター１の分解斜視図である。図５は、図１のＡ−Ａ´の断面図で、図６は、図１のＢ−Ｂ´の断面図であり、図７は、図１のＣ−Ｃ´の断面図である。
【００２８】
図１〜図７を参照すると、本発明の一実施形態に係るコネクター１は、コネクティング部１００、締結部２００、締結解除部３００、及び外部ハウジング４００を含んでもよい。
ケース（図示せず）に形成されたトランシーバー（図示せず）は、ソケット１０を含んでもよい。ソケット１０は、前記ケースの外側に突出してコネクター１と結合することができる。すなわち、ソケット１０は外面に締結溝１１が形成されてもよい。そして、締結溝１１に後述する締結部２００の締結突部２１１が挿入されることができる。従って、コネクター１とソケット１０は結合することができる。また、ソケット１０は、前記ケースと向かい合う面にシーリング溝１２が形成されてもよい。シーリング溝１２に第２シーリング部材９１０が配置されることができる。ネジ（図示せず）のような締結部材（図示せず）により、ソケット１０は、前記ケースに付着することができる。そして、ソケット１０は、コネクティング部１００が前記トランシーバーに結合する時、後述する外部ハウジング４００の回転を防止するために回転防止突部１３が備えられてもよい。
【００２９】
コネクティング部１００は、一端が前記トランシーバーにユーザーの選択により結合して電気的に連結可能であるか光信号が伝達されるように連結可能であり、他端には後述するケーブル７００が連結されてもよい。そして、コネクティング部１００はラッチ１１０が延長形成されてもよい。ラッチ１１０は、弾性を有してもよい。すなわち、ラッチ１１０は、一端がコネクティング部１００の一面に延びて、他端がソケット１０から遠ざかる方向に延びている。ラッチ１１０は、外面に側傍に突出したラッチ突起１１１を含む。コネクティング部１００が前記トランシーバーに結合する時、ラッチ突起１１１が、前記トランシーバーに形成された溝（図示せず）に挿入されながらコネクティング部１００は前記トランシーバーに結合することができる。
【００３０】
締結部２００は、両端が開口された柱状で、内側にコネクティング部１００と後述する内部ハウジング６００を収容することができる。締結部２００は、締結片２１０を含んでもよい。締結片２１０は、締結部２００の外面で外側に突出されてもよい。締結片２１０は、ソケット１０側で延びてもよい。締結片２１０は、複数が備えられることが好ましい。例えば、図面には締結片２１０が４個互いに離隔した形態で備えられるものが図示された。締結片２１０は、最小２個以上が備えられてこそ締結部２００がソケット１０と結合が可能である。複数の締結片２１０は、互いに等間隔で配置されたのが好ましい。もし締結片２１０が３個形成されると、３個の締結片２１０は、締結部２００の外面に沿って互いに１２０°の間隔を維持して配置されてもよい。また、締結片２１０が４個形成されると、締結部２００の外面に沿って互いに９０°の間隔を維持して配置されてもよい。すなわち、締結片２１０の個数はいずれか一つに限定されず製作者の意図による。コネクター１が、前記トランシーバーと結合する方向に移動する時締結片２１０の内面はソケット１０の外面と向かい合うことができる。締結片２１０の一端には締結突部２１１が締結部２００の内側に向かって突出することができる。締結片２１０の他端は、締結部２００の外面で突出して延びることができる。従って、コネクティング部１００と前記トランシーバーが結合する場合、締結突部２１１は、ソケット１０の外面に形成された締結溝１１に挿入される。この時、締結突部２１１は、締結片２１０の一端から他端方向にテーパ状に形成された第１傾斜面２１２が形成される。従って、締結片２１０がソケット１０の外面でスライディングする時、ソケット１０の終端が、第１傾斜面２１２と当接することができる。そして、締結片２１０が外側に広がりながら締結部２００がソケット１０の外面に沿ってスライディングすることができる。また、締結突部２１１が締結溝１１に挿入された後広がった締結片２１０は弾性によって再び元に戻る。
【００３１】
締結部２００は、複数の締結片２１０の間の外面、すなわち、複数の締結片２１０の他端の間に突出した第１突部２１３を含んでもよい。第１突部２１３は、後述する締結解除部３００の第２突部３２０と連動される。
【００３２】
締結解除部３００は、両端が開口された中空の柱状で、内部に締結部２００を収容することができる。締結解除部３００は、ソケット１０から締結部２００を締結解除することができる。締結解除部３００は、本体をなす壁面一部に貫通孔３１０が形成されてもよい。貫通孔３１０には締結部２００の締結片２１０が貫くことができる。すなわち、貫通孔３１０は、締結片２１０の個数と位置に対応して形成されることによって、締結片２１０の一端が貫くように形成されてもよい。
【００３３】
そして、締結解除部３００は、貫通孔３１０の先端に離脱部材３１１をさらに含んでもよい。換言すると、離脱部材３１１は、締結解除部３００の一端に備えられることができる。離脱部材３１１は、締結解除部３００のスライディングを通じてソケット１０の締結溝１１に挿入された締結突部２１１を選択的に離脱させることができる。すなわち、離脱部材３１１は、締結突部２１１の第１傾斜面２１２と対応するようにソケット１０から遠ざかる方向にテーパ状に形成された第２傾斜面３１２を含んでもよい。そして、第１傾斜面２１２と第２傾斜面３１２は互いに当接することができる。そして、締結解除部３００がソケット１０から遠ざかる方向にスライディングすることにより、離脱部材３１１は、締結突部２１１を締結溝１１から離脱させることができる。この時、複数の締結片２１０は、互いに広がるようになる。そして、ソケット１０から締結部２００が分離されると、複数の締結片２１０は、弾性によって元に戻る。また、コネクター１が、前記トランシーバーに結合した場合、離脱部材３１１は、締結片２１０の一端よりも相対的に前記トランシーバーが設置されたケース（図示せず）に近づくよう位置することができる。
【００３４】
締結解除部３００は、他端に複数の羽根片３３０がソケット１０から遠ざかる方向に延びて備えられる。そして、複数の羽根片３３０のうちある一部は、終端に内側に突出した第２突部３２０を含む。第２突部３２０は、コネクティング部１００が前記トランシーバーに結合するため移動する場合、締結部２００の第１突部２１３に係止して締結部２００と連動することができる。従って、第１突部２１３と第２突部３２０は、個数と位置が互いに対応するように形成されてもよい。複数の羽根片３３０は、互いに離隔配置されてもよい。複数の羽根片３３０のうちある一部、すなわち第２突部３２０が形成されなかった羽根片３３０は、終端に外側に突出した第３突部３３１を含んでもよい。第３突部３３１は後述する外部ハウジング４００に形成された内側溝４２０に挿入されて係止するようになる。従って、締結解除部３００と外部ハウジング４００は、互いに連動されることができる。図４には羽根片３３０を４個で図示した。そして、第２突部３２０が、互いに向かい合う羽根片３３０の外面に形成された。羽根片３３０の個数と第２突部３２０は、製作者の意図により多様な変更が可能である。
【００３５】
本発明の一実施形態に係るコネクター１はラッチ解除部１２０をさらに含んでもよい。ラッチ解除部１２０は、内部にコネクティング部１００を収容することができる。ラッチ解除部１２０は、ラッチ１１０を加圧することができる。すなわち、コネクティング部１００が、前記トランシーバーに結合される場合、ラッチ１１０のラッチ突起１１１が前記トランシーバーに形成された溝（図示せず）に係止することによって結合することができる。そして、後述する外部ハウジング４００が、ユーザーの意図に応じてソケット１０から遠ざかる方向に移動すると、ラッチ解除部１２０は、ラッチ１１０の他端を加圧してラッチ突起１１１を前記トランシーバーの溝から離脱させることができる。
【００３６】
本発明の一実施形態に係るコネクター１は、ガイド部５００をさらに含んでもよい。ガイド部５００は、両端が開口された柱状でラッチ解除部１２０を収容する。コネクティング部１００がソケット１０を介して前記トランシーバーに結合する場合、ガイド部５００は、ソケット１０内部でコネクティング部１００が前記トランシーバーに嵌め込まれるように案内する役割をすることができる。すなわち、ガイド部５００は、一端がソケット１０に挿入される。換言すると、ガイド部５００は、外面がソケット１０の内周面と向かい合うことができる。そして、ガイド部５００は、ソケット１０の内周面に沿ってスライディングできる。従って、コネクティング部１００は、前記トランシーバーと結合して電気的に連結されるか光信号が伝達されるように連結される。ガイド部５００は、ラッチ解除部１２０を収容することができる。ガイド部５００は、コネクティング部１００が前記トランシーバーと結合した時、ラッチ解除部１２０とソケット１０との間に位置することができる。ガイド部５００の他端は、締結部２００の外面と締結部２００の外面に突出した締結片２１０の間の空間に挿入されることができる。そして、ガイド部５００は、一端に締結片２１０の締結突部２１１が干渉されずスライディングするように回避部５１０が形成されてもよい。ガイド部５００の一端は、コネクティング部１００が前記トランシーバーと結合した場合、コネクティング部１００の一端とソケット１０との間に位置することが好ましい。もしガイド部５００がコネクティング部１００の一端とソケット１０との間に位置しないならば、ガイド部５００の長さによってコネクティング部１００が前記トランシーバーに結合するのを妨害されることがある。または、ソケット１０の内周面に沿ってコネクティング部１００をガイドすることが不可能になることがある。ガイド部５００と締結部２００との間には第１シーリング部材９００が配置されてもよい。
【００３７】
ガイド部５００の他端、すなわち、ソケット１０から相対的に遠く位置した終端には、内部ハウジング６００が配置されて、ガイド部５００と内部ハウジング６００は連動されることができる。内部ハウジング６００は、コネクティング部１００と締結部２００との間に配置されてもよい。内部ハウジング６００は、ガイド部５００と連動することができる。内部ハウジング６００は、ラッチ解除部１２０の一部を収容することができる。内部ハウジング６００は、コネクティング部１００と電気的に連結されるか光信号が伝達されるように連結されるケーブル７００を収容することができる。そして、内部ハウジング６００は、外面にストッパー８００が配置されてもよい。ストッパー８００は、締結解除部３００の他端と離隔配置されてもよい。ストッパー８００は、締結解除部３００が内部ハウジング６００の外面に沿ってソケット１０から遠ざかる方向にスライディングする時、締結解除部３００と内部ハウジング６００のスライディングを防止することができる。
【００３８】
本発明の一実施形態に係るコネクター１は、ソケット１０を除いて前記で言及した構成を全て収容する外部ハウジング４００を含んでもよい。外部ハウジング４００は、両端が共に開口された柱状であってもよい。外部ハウジング４００の外面は、ユーザーの手が位置して把持される部分であってもよい。すなわち、外部ハウジング４００は、図面に図示された通り、表面がデコボコなすべり防止構造（未符号）をさらに含んでもよい。外部ハウジング４００は、コネクティング部１００が前記トランシーバーと結合する時、回転が防止されるようにソケット１０の回転防止突部１３に対応する回転防止溝４１０が形成されてもよい。図面には、回転防止突部１３がソケット１０に位置して、回転防止溝４１０が、外部ハウジング４００に形成されるとして図示された。しかし、その反対の場合も可能で、その他にも製作者の意図に応じて外部ハウジング４００の回転を防止できる構成であれば、いずれも適用できる。
【００３９】
外部ハウジング４００は、内面に締結解除部３００の第３突部３３１が挿入される内側溝４２０が形成されてもよい。従って、第３突部３３１が内側溝４２０に係止することができる。すなわち、外部ハウジング４００が、ソケット１０側にスライディングする時、外部ハウジング４００は、締結部２００を連動させることができる。
【００４０】
外部ハウジング４００は、一端が内側に折り曲げられた折曲部４３０を備えることができる。折曲部４３０は、締結解除部３００の一端と当接することができる。折曲部４３０は、締結解除部３００をソケット１０から遠ざかる方向にユーザーの意図に応じて選択的に加圧することができる。すなわち、折曲部４３０は、離脱部材３１１をソケット１０から遠ざかる方向に加圧することができる。離脱部材３１１は、締結片２１０を外部に向けて広げるようにすることができる。従って、締結片２１０の締結突部２１１が、ソケット１０の締結溝１１から離脱することができる。また、コネクティング部１００は、前記トランシーバーから分離が可能である。
【００４１】
前記のような本発明の一実施形態に係るコネクター１は次のように使用される。
【００４２】
まずユーザーは、本発明の一実施形態に係るコネクター１を準備する。そして、ユーザーは、外部ハウジング４００を把持する。この時、ユーザーは、外部ハウジング４００の表示またはコネクティング部１００の形状を確認する。そして、ユーザーは、トランシーバー（図示せず）に対応して挿入されるようにコネクター１の位置または配置を決める。
【００４３】
次に、ケース（図示せず）の前記トランシーバーにコネクティング部１００が結合するようにソケット１０の内部にコネクティング部１００を挿入する。この時、ソケット１０の終端と締結部２００の一端が当接するようになる。そして、ユーザーの力によって外部ハウジング４００がソケット１０側に移動される時、締結部２００に形成された複数の締結片２１０は、外部に広がるようになる。そして締結片２１０の内面とソケット１０の外面は向かい合うようになる。従って、締結片２１０は、ソケット１０の外面に沿ってスライディングする。締結片２１０の一端に内側に突出した締結突部２１１がソケット１０の外面に形成された締結溝１１に挿入されることができる。従って、コネクター１はソケット１０と結合することができる。前記トランシーバーとコネクティング部１００は、電気的に連結されるか光信号が伝達されるように連結される。また、コネクティング部１００が前記トランシーバーに挿入されながら、ラッチ１１０のラッチ突起１１１が前記トランシーバーの溝（図示せず）に挿入されてコネクター１と前記トランシーバーは締結される。
【００４４】
前記構成の結合連動過程を再び具体的に説明すると下記のとおりである。
【００４５】
ユーザーが、外部ハウジング４００をソケット１０側にスライディングされるよう力を加えると、外部ハウジング４００の内面の内側溝４２０に締結解除部３００の第３突部３３１が係止されているので、締結解除部３００は、外部ハウジング４００と連動される。そして、締結解除部３００の羽根片３３０に内側に突出した第２突部３２０は、締結部２００の第１突部２１３に係止することができる。従って、締結部２００もソケット１０側に移動される。締結部２００がソケット１０側に移動されるにつれガイド部５００も連動してソケット１０側に移動されることができる。ガイド部５００は、コネクティング部１００とラッチ解除部１２０及び内部ハウジング６００と連動されるので、これらの構成もソケット１０側に移動されることができる。従って、コネクティング部１００が前記トランシーバーと結合しながら、ラッチ１１０に形成されたラッチ突起１１１が前記トランシーバーの溝（図示せず）に挿入されることができる。そして、締結部２００の締結突部２１１が、ソケット１０の締結溝１１に挿入されることができる。従って、本発明の一実施形態に係るコネクター１は、ソケット１０または前記トランシーバーと二重に締結されて結合が強固になり得る。
【００４６】
以下では、本発明の一実施形態に係るコネクター１は、トランシーバーから下記のとおり分離される。
【００４７】
まずユーザーは、ソケット１０に結合されているコネクター１を分離するために、外部ハウジング４００の外面を手で把持する。そして、ユーザーは、外部ハウジング４００をソケット１０から遠ざかる方向に引っ張る。
【００４８】
外部ハウジング４００の折曲部４３０は、締結解除部３００の離脱部材３１１をソケット１０から遠ざかるように加圧するようになる。離脱部材３１１の第２傾斜面３１２は、締結部２００の締結片２１０の内側に突出した締結突部２１１の第１傾斜面２１２と当接されている。従って、離脱部材３１１がソケット１０から遠ざかる方向に移動して締結突部２１１をソケット１０の締結溝１１から離脱させる。この時、締結突部２１１が形成された締結片２１０は、締結部２００の外側で広がるようになる。
【００４９】
次に、ガイド部５００は、ソケット１０から遠ざかる方向に移動しながらラッチ解除部１２０を加圧する。ラッチ解除部１２０は、ラッチ１１０を加圧して前記トランシーバーの溝（図示せず）に挿入されているラッチ突起１１１を離脱させる。従って、コネクティング部１００は、前記トランシーバーまたはソケット１０から離脱することができる。この時、ガイド部５００とラッチ解除部１２０及び内部ハウジング６００は、連動されることができる。これらの構成が、ソケット１０から遠ざかる方向に移動する時、ストッパー８００が備えられる。ストッパー８００は、外部ハウジング４００の内部で内部ハウジング６００及び締結解除部３００の予め決まった距離だけ移動可能となるように移動を制限する。
【００５０】
以上で説明したのは、本発明に係るコネクターを実施するための実施形態に過ぎないものであり、本発明は前記の実施形態に限定されず、以下特許請求範囲で請求する本発明の要旨を逸脱せず本発明が属する技術分野で通常の知識を有する者であれば誰でも多様に変更して実施可能な範囲まで本発明の技術的精神があるといえる。
【符号の説明】
【００５１】
１        コネクター
１０      ソケット
１１      締結溝
１２      シーリング溝
１３      回転防止突部
１００    コネクティング部
１１０    ラッチ
１１１    ラッチ突起
１２０    ラッチ解除部
２００    締結部
２１０    締結片
２１１    締結突部
２１２    第１傾斜面
２１３    第１突部
３００    締結解除部
３１０    貫通孔
３１１    離脱部材
３１２    第２傾斜面
３２０    第２突部
３３０    羽根片
３３１    第３突部
４００    外部ハウジング
４１０    回転防止溝
４２０    内側溝
４３０    折曲部
５００    ガイド部
５１０    回避部
６００    内部ハウジング
７００    ケーブル
８００    ストッパー
９００    第１シーリング部材
９１０    第２シーリング部材
【図１】
2017041435.tif 000003
【図２】
2017041435.tif 000004
【図３】
2017041435.tif 000005
【図４】
2017041435.tif 000006
【図５】
2017041435.tif 000007
【図６】
2017041435.tif 000008
【図７】
2017041435.tif 000009